(57)【要約】【課題】    スパイクピン本体と扇型刃を分立し、平面を有する扇型刃に傾斜つけ独自に動く機能を持たせる。【解決手段】    傾斜を有する分立成型スパイクピンであって、平面を有する扇型刃１２の内面に、上面が傾斜を有するゴム１３が取り付けられたワッシャー型金具１４を取り付けられると共に、扇型刃１２はワッシャー型金具１４内面に掛けて取り付け、スパイクピン本体１５で靴、車のタイヤ等に取り付けられる。尚、スパイクピン本体１５と扇型刃１２が固定されてないことを特徴とする。【選択図】図１
2007330752.tif 000002
【特許請求の範囲】
【請求項１】
傾斜を有する分立成型スパイクピンであって、
扇型刃の内面にゴムが取り付けられると共に、スパイクピン本体と扇型刃が固定されてないことを特徴とする平面型スパイクピン。
【請求項２】
前記扇型刃は平面を有すると共に、複数で成型されることを特徴とする請求項１記載の平面型スパイクピン。
【請求項３】
前記扇型刃はワッシャ型金具に掛けて取り付けると共に、スパイクピン本体でゴムとの間に挟むように取り付けられることを特徴とする請求項２記載の平面型スパイクピン。
【発明の詳細な説明】
【技術分野】
【０００１】  本発明は、冬靴、ゴム長靴、車のスノータイヤ等に使用されている、その他のスパイクピンに関する。
【背景技術】
【０００２】  従来、冬靴、ゴム靴、車のスパイクピンは、その形状に様々な型を凝らした製品が生産、使用されている。しかしながら、それらは構造的には単に一体化し、ゴム等に固定しただけのものである。【０００３】  スパイクピンの機能は、圧縮された雪、氷等に突き刺し摩擦を高める機能である。特に、摩擦を高めるため、スパイクピン先端に加重がかかる事により、冬靴、ゴム長靴等では、雪、氷の無い路面、公共施設等の床面に傷を付けると共に、運動エネルギーが音に変わる事により、体に違和感を感じるだけのものである。上記の箇所等に機能を有する訳ではない。【０００４】  なお、本発明に関連する公知技術として次の特許文献１及び非特許文献１を挙げることができる。【０００５】
【特許文献１】  特開
【非特許文献１】
【発明の開示】
【発明が解決しようとする課題】
【０００６】  上述の如く、従来技術に係るスパイクピンは、圧縮された雪、氷に有効に働く機能であり、スパイクピンが取り付けられた靴等は、使用する場所が限られる。一般的に、公共施設等の室内に於いての使用が難しい。【０００７】  このため、スパイクピンが取り付けられた靴等は、日常に利用する、デパート、スーパー等の床面で使用するにあたって、床面に傷つけ、音が出ることにより、その場に居る他の人達に不快感を与える等のイメージがあることにより、一般的に使用することを控えているのが現状である。【０００８】  本発明は、このような点に鑑みて成されたものであり、その目的、スパイクピン本体と扇型刃を分立することで、スパイクピンの平面を有する扇型刃に傾斜を付け独自に動く機能をもたせることで、如何なる場所に適応できるようにすることにある。
【課題を解決するための手段】
【０００９】  上述の目的を達成する本発明のスパイクピンは、傾斜を有する分立成型スパイクピンであって、扇型刃の内面に傾斜を有するゴムが取り付けられたワッシャー型金具を取り付けられると共に、扇型刃はワッシャー型金具内側に掛けて取り付けられる。尚、スパイクピン本体と平面を有する扇型刃が固定されてないことを特徴とする。【００１０】  一例として、前記平面を有する扇型刃を前記スパイクピン本体とワッシャー型金具との間に取り付けられて、前記スパイクピン本体を靴等の底面に固定して取り付けられる。好適には、前記平面を有する扇形刃の上面が若干内側に向くように傾斜して靴等に取り付けられる。
【発明の効果】
【００１１】  以上説明したように本発明によれば、靴底等に使用されているリフトバリ等のゴムよりもソフトなゴムをワッシャー型金具を取り付けられて、その金具に扇型刃数枚、若干内側に向くように傾斜して金具内側に掛けて共に取り付けられる。スパイクピン本体を金具に取り付けられた扇型刃の上面方向より差し入れてスパイクピン本体を靴等の底面に固定して取り付けるられる事により、扇型刃を独自に動く機能を持たせることが可能となる。この、スパイクピンを例えば、圧雪した雪、氷等の路面に対し、上方向からの動作に対する効果より、横方向の動作に対しての効果が大きく働く機能をもたせることにより、室内等の床面に対する、傷、音等を減少する効果に極めて有効である。
【発明を実施するための最良の形態】
【００１２】  以下、本発明の実施の形態を図面に基づき詳細に説明する。【００１３】  図１〜図２は本発明の第１の実施の形態に係り、図１はその断面図、図２はその平面図である。【００１４】  図１、図２に示すように、本スパイクピン１１は、ゴム１３をワッシャー型金具１４に取り付け、その金具１４中央の穴に扇型刃１２を数枚掛けて取り付けた金具の中央の穴にスパイクピン本体１５を上面方向より入れて、扇型刃１２はワッシャー型金具１４との間に挟むように取り付け、靴底等にスパイクピン本体１５を固定して取り付けられることが可能となる。【００１５】  スパイクピン構造体１１は、図１に示すように、靴底等に使用されている、リフトバリ等１６（ラバーゴム）に貫通させないように穴お開けて、その穴にスパイクピン構造体１１を入れて、リフトバリ等１６のゴムの裏面よりスパイクピン構造体１１をねじ、かしめ等１７で固定して取り付けられることが可能となる。【００１６】  図１に示すように、ゴム１３を本スパイクピン１１に取り付けることでの利点として、ゴムの弾力性を利用することでの機能は、扇型刃１２に動く機能を持たせると共に、運動エネルギーを吸収する効果等に適応するものである。尚、ゴム１３は、若干内側に向くように上面が傾斜していると共に、ゴム１３は、中央部分に穴があいているものである。【００１７】  図１、図２に示すように、扇型刃１２は、Ｒ状の側面を有すると共に、上面が若干内側に向くように傾斜して数枚取り付けることで、刃は、始めに、路面に機能する時点での路面に対する刃は、若干立っていることにより、刃の付く面積が少なく加重が加わることで、路面に対して平行になるものであると共に、平面を有する扇形刃１２の平面積を広く持たせることで、加重が分散されることが可能である。尚、一般的には、通常に使用する刃物は、１番刃を使用することに対し扇型刃１２は、路面に対して平行になることでの圧縮した雪、氷等に１番刃、２番刃が働く機能を持たせることが可能である。【００１８】  この、平面有する扇型刃１２は、内側の測面がコの字型に形成されることにより、ワッシャー金具１４に簡単に掛け、取り付けるられると共に、スパイクピン本体１５で押さえることで、扇型刃１２は抜けなくなるのが特徴である。尚、車等のタイヤに使用する扇形刃１２は若干外側に向くように傾斜されることが望ましい。
【実施例】
【００１９】  スパイクピン構造体１１は例えば、高さ８ｍｍ、直形２０ｍｍの寸法を有する円柱形状をしており、靴等のヒール等に使用する厚さ７ｍｍのリフトバリ等（ラバーゴム）に使用する際に好適なサイズとして標準化する。このことにより設計、施工容易になる。また、図１、図２に示すスパイクピン本体１５、扇型刃１２、ワッシャー型金具１４にはＳＵＳ３０６等の材質を用いるのが最適である。耐久性を向上させるためである。【００２０】  この、扇型刃１２は内側面を支点として、外側面が上下に動く機能を持たせることで、リフトバリ１６等（ラバーゴム））の厚みが薄いもの等に取り付けられることが可能である。尚、扇型刃１２外側面がＲ形状にすると共に傾斜を持たせることで、扇型刃に加重が加わることで路面に対し、外側の刃と刃の間が若干広がることにより、圧縮した雪、氷に対してかむ機能が高まることが可能となる。【００２１】  以上、本発明の実施の形態及び実施例を説明したが、本発明の範囲はこれに限定されるものではない。例えば扇型刃１２の枚数やコの字型形成の位置関係、あるいはワッシャー型金具１４に穴をあけて扇型刃を取り付けたりすることは、状況に応じて適宣選択されるものである。【００２２】  また、車等のタイヤに使用される本スパイクピン１１は、扇型刃１２の材質、厚み、大きさが異なり、スパイクピン本体とワッシャー型金具１４を一体化し扇型刃１２を取り付けることが可能になる。尚、車等のタイヤにスパイクピン構造体の取り付け方法等異なる。
【産業上の利用可能性】
【００２３】  本発明は靴、ゴム長靴、車のタイヤ等を製造、販売する産業分野で利用することができる。
【図面の簡単な説明】
【００２４】
【図１】  本発明の第１の実施の形態に係る平面型スパイクピンの断面図である。
【図２】  図１の平面型スパイクピンの平面図である。
【符号の説明】
【００２５】１１        平面型スパイクピン
１２        扇型刃
１３        ゴム
１４        ワッシャー型金具
１５        スパイクピン本体
１６        リフトバリ（ラバーゴム））
１７        ネジ（かしめ））
【図１】
2007330752.tif 000003
【図２】
2007330752.tif 000004